(57)【要約】  屋内空間を照明するための移動式照明デバイスであって、半透明又は透明の面を有する三次元幾何学構造体から構成されており、三次元幾何学構造体の内部には光源が位置しており、それとともに、三次元幾何学構造体の側面は、水平方向のベネチア型ブラインドを備えている。
2012529137.tif 000002
【特許請求の範囲】
【請求項１】
屋内イルミネーション用の移動式照明デバイスであって、
半透明又は透明な面を有する三次元幾何学構造体を備えており、該三次元幾何学構造体の内部空間には光源が位置しており、
前記三次元幾何学構造体の側面は、水平方向のスラットを備えるベネチアンブラインド型のブラインドを具備することを特徴とする、照明デバイス。
【請求項２】
前記ブラインドの前記スラットには、光を当該照明デバイスの内部空間から通過させられる孔又は領域がそれら前記スラットの表面に形成されることを特徴とする、請求項１に記載の照明デバイス。
【請求項３】
当該照明デバイスが、前記スラットの空間配向性を変更させる少なくとも１つの制御手段を備えることを特徴とする、請求項１又は２に記載の照明デバイス。
【請求項４】
当該照明デバイスが、ブラインドを上昇移動又は下降移動させる少なくとも１つの制御手段を備えることを特徴とする、請求項３に記載の照明デバイス。
【請求項５】
スラットからなる前記ブラインドが、２つの透明なシートによって形成される空間の内部に配置されることを特徴とする、請求項１から４のいずれか１項に記載の照明デバイス。
【請求項６】
当該照明デバイスが半透明の上方端部材を備えることを特徴とする、請求項１から５のいずれか１項に記載の照明デバイス。
【請求項７】
上方端部材が、当該照明デバイスを形成する骨組から突出する突起において支持される層状部材であることを特徴とする、請求項１から６のいずれか１項に記載の照明デバイス。
【請求項８】
当該照明デバイスが平行六面体形状を有することを特徴とする、請求項１から７のいずれか１項に記載の照明デバイス。
【請求項９】
当該照明デバイスが円筒形状を有することを特徴とする、請求項１から８のいずれか１項に記載の照明デバイス。
【請求項１０】
当該照明デバイスが本質的にピラミッド形状を有することを特徴とする、請求項１から９のいずれか１項に記載の照明デバイス。
【発明の詳細な説明】
【技術分野】
【０００１】
本発明は移動式照明デバイスに関する。
特に、本発明は、単純な構成からなる照明デバイスであって新規でかつ美的効果を奏するタイプのイルミネーションを提供する照明デバイスに関する。
【背景技術】
【０００２】
特許文献１は、固定されていながらも回転可能である鉛直方向の位置決めスラットによって包囲されたバルブを備える、円筒状のランプを開示する。このランプは、ランプ周りの周辺分布に従って、より強度が高いイルミネーション領域と、より強度が低いイルミネーション領域とを交互に切換えることによって、光の強度を変調する効果を奏する。このランプは多数の不利点、例えば高さに基づいて強度分布を選択できないし、また、必要な場合でも最大強度の均一なイルミネーションを得ることもできないという不利点を有する。
【先行技術文献】
【特許文献】
【０００３】
【特許文献１】仏国特許公開第１５３７０６９号明細書
【発明の概要】
【課題を解決するための手段】
【０００４】
これら不利点を解消するため、本発明に係る屋内イルミネーション用の移動式照明デバイスは、三次元幾何学構造体を備えている。この構造体は半透明又は透明な面を有しており、構造体の内部空間には光源が位置するとともに、側面は水平方向のスラットを備えるベネチアンブラインド型のブラインドを具備している。
【０００５】
スラットからなるブラインドは、光源からの光線を細分化して発散させ、使用者によって非常に喜ばれるイルミネーション効果を提供するという利点を有する。さらに、これらスラットは、照明デバイスの上部を通過しうる光の一部を反射し、高強度の光でなくても効果的なイルミネーションを達成する。
【０００６】
別の利点は、スラットからなるブラインドによれば、スラットの角度を変更するとともに、ブラインドを寄合せ、又は散開させることによって、光の強度を調整できる事実にある。
【０００７】
非常に有用な変形例において、ブラインドのスラットには、光を照明デバイスの内部空間から通過させられる孔又は領域がそれらスラットの表面に形成されており、強度と、スラットによって引き起こされる屈折作用及び反射作用とについてグラデーション効果を生じさせる。
【０００８】
光に対して強度を調整する調整手段を付与するために、照明デバイスはスラットの空間配向性を変化させるための少なくとも１つの制御部を備えるのが好ましく、また、ブラインドを上昇移動及び下降移動させる制御部を備えるのがより好ましい。
【０００９】
好適な実施形態において、スラットからなるブラインドは２つの透明なシート、例えば半透明又は透明のガラスによって形成される空間に配置されている。
それらの幾何学形状に関し、形状は任意の種類の形状、例えば平行六面体、本質的にはピラミッド形（又は他のタイプの多面体）、円筒形などでありうる。
一般的に、本発明に係る照明デバイスは光の強度のグラデーションを付与するとともに、照明デバイスが配置される部屋の高さに従って分布状態を選択できるようにする。
【図面の簡単な説明】
【００１０】
【図１】本発明に係る実施形態の照明デバイスの斜視図である。
【図２】図１の実施形態の上方を示す平面図である。
【図３】上端部材が持ち上げられている状態を示す斜視図である。
【図４】１つのブラインドを上昇させている状態を示す別の斜視図である。
【図５】ブラインドが上昇位置に在る状態を示す側方立面図である。
【図６】他のブラインドにおいてスラットの配向を変更した図４に類似する別の斜視図である。
【図７】スラットを回転させたブラインドとともに示す側方立面図である。
【図８】不透明領域及び半透明領域を備えた、代替的な実施形態のスラットを示す詳細図である。
【図９】ブラインドをガラスからなる２つの窓部の間に取付けることを含む代替的な実施形態の図である。
【図１０】ピラミッド形状又は円筒形状を有する、２つの代替的な実施形態の照明デバイスを示す図である。
【発明を実施するための形態】
【００１１】
より良い理解のために、本発明の好適な実施形態に係る図面が、説明的でありながら非限定的な例示のために提供される。
本発明に係る一実施形態の照明デバイス又はランプが図１から図７に表される。
照明デバイスは、平行六面体形状、特に立方体を形成する骨組１を備えている。立方体の側面はベネチアンブラインド３，３’によって被覆されており、これらベネチアンブラインド３，３’は、公知技術に従ってブラインドを下降移動又は上昇移動させるとともにベネチアンブラインドのスラットを回転させるための対応する制御部３１，３２，３１’，３２’を備えている。上端は、骨組１の突起２１，２２によって支持される半透明の層状プレート２によって被覆されている。
照明デバイスの内部には、この実施形態において選定された光源であるバルブ５が位置している。また、照明デバイスはスイッチ制御部４を有している。
【００１２】
図８は、ブラインド３のスラットがより高度に又はより低度に不透明である領域を有する変形例を示している。イルミネーションの特定の性質を損なうことなく、より強力なイルミネーションがスラットの孔を通じて可能になるという類似の効果が達成されうる。
【００１３】
図９は、ブラインド３がどのようにして２つの透明シート３６，３７の間に取付けられるかについての概略的な例を示している。この配列体によって、ブラインドが保護されるとともに、照明デバイスが容易に移送されうるようになる。
【００１４】
図１０は、ピラミッド形状部１００を有するものと、円筒形状部２００を有するものとの２つの追加の照明デバイスを表している。
【００１５】
本発明を好適な実施形態と関連付けて記載したものの、これら記載は本発明を限定するものと解されるべきではない。本発明は、添付の特許請求の範囲を最も広く解釈することによって明確化されるべきである。
【図１】
2012529137.tif 000003
【図２】
2012529137.tif 000004
【図３】
2012529137.tif 000005
【図４】
2012529137.tif 000006
【図５】
2012529137.tif 000007
【図６】
2012529137.tif 000008
【図７】
2012529137.tif 000009
【図８】
2012529137.tif 000010
【図９】
2012529137.tif 000011
【図１０】
2012529137.tif 000012
【国際調査報告】
2012529137.tif 000013
2012529137.tif 000014
2012529137.tif 000015
2012529137.tif 000016